(57)【要約】【課題】防水扉の水密構造を簡素な構成で、施工空間の制約を受けにくいものにする。【解決手段】左右両側枠５Ａ、５Ｂ間を結ぶ床Ｆを凹陥させ、上部開口に蓋板１１が開閉自在に取り付けられる収納部１０を形成し、この収納部１０には、戸当たり板２０を起立自在に設けている。防水扉６の後方側面６Ｂの下部には、第１のシール部２７を、収納部１０の後方側壁面１０Ａには、第２のシール部２９を設け、防水扉６を閉じて水密を確保する際、戸当たり板２０を起立させて、戸当たり板２０にこれら第１第２のシール部２７、２９を圧接させ、防水扉６と収納部１０との間の水密を保持するようにしている。【選択図】図７
2016151165.tif 000002
【特許請求の範囲】
【請求項１】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠側の間を結ぶ床を凹陥させ上部開口に蓋板を有する収納部を形成し、この収納部には、板材を起立自在に設け、起立時、各面の一部をそれぞれ防水扉と収納部内面に臨ませ、
防水扉と収納部内面とのうち少なくともいずれか一方には、起立した板材と臨む部位に固定側シール部を設けるとともに、
これら防水扉と収納部とのうちシール部が設けられていない防水扉または収納部に臨む板材には、臨む部位に変位側シール部を設け、
防水扉の水密を確保する際、蓋を開けて板材を起立させて防水扉を閉じ、シール部を防水扉側と板材側と収納部側とにそれぞれ圧接させ、防水扉と収納部との間の水密を保持するよう構成したことを特徴とする防水扉の水密構造。
【請求項２】
防水扉と板材との間または収納部と板材との間とのうち少なくともいずれか一方にはそれぞれ、互いに密着可能なシール部を分割して設けたことを特徴とする請求項１に記載の防水扉の水密構造。
【請求項３】
板材を収納部に揺動可能に設けるとともに、起立時、板材の上端が防水扉の下端より上方に位置するよう形成し、板材の揺動軸を板材の端部または起立した板材より前後方向にずらせて設けたことを特徴とする請求項１または２に記載の防水扉の水密構造。
【請求項４】
収納部を、左右側枠間または左右側枠間で閉じられる防水扉の下方より水圧方向上流側にずらせて形成したことを特徴とする請求項１ないし３のうちいずれか１に記載の防水扉の水密構造。
【請求項５】
収納部左右方向両端には、内外側壁を有し床に形成された側溝に接続されるとともに、内側壁の前後方向起立側が板材との干渉を避けて欠截された側溝受け部が形成され、
側溝受け部には、上面に床の側溝と連通する溝部が形成され、側溝受け部を閉塞して側溝から収納部への漏水を阻止する側溝受けカバーを取り外し自在に設け、
板材の左右両端を側溝受け部との干渉を避けて後退させて形成し、
板材の起立時、板材の左右各端部と側枠との間に第１の差し入れ板を側溝受け部に当接させて着脱自在に装着して構成したことを特徴とする請求項４に記載の防水扉の水密構造。
【請求項６】
収納部を左右枠間に形成し、
防水扉には、閉塞位置で扉を板材と各枠側に押圧してロックするロック装置を設けるとともに、収納部には、ロック装置の一部を設け、
板材には、横倒し時、ロック装置の一部との干渉を避ける切り欠き部を形成し、
板材には、起立時、この切り欠き部に着脱自在に嵌合される第２の差し入れ板を装着して構成したことを特徴とする請求項１ないし５のうちいずれか１に記載の防水扉の水密構造。
【請求項７】
板材を２重板構造の揺動板体により構成し、この揺動板体の前後の板の左右方向長さ寸法を異ならせ起立方向側の後板を長寸に、横倒し方向側の前板を短寸に形成し、
第１の差し入れ板を揺動板体の両端部に合致させて形成し、
切り欠き部を、前後の板の切り欠き面の大きさを異ならせ後板の切り欠き面より前板の切り欠き面を拡大させて形成し、
第２の差し入れ板を切り欠き部に合致させて形成したことを特徴とする請求項５または６に記載の防水扉の水密構造。
【請求項８】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠間を結ぶ床を凹陥させ上部開口に蓋板を有する収納部を形成し、この収納部には、左右方向に沿って防水扉に対応して形成された溝を形成するとともに、
この溝に起立可能に装着される板体を備えて構成し、
防水扉と収納部内面とのうち少なくともいずれか一方には、溝に装着されて起立した板材と臨む部位に固定側シール部を設けるとともに、
これら防水扉と収納部とのうちシール部が設けられていない防水扉または収納部に臨む板体には、臨む部位に変位側シール部を設け、
防水扉の水密を確保する際、蓋を開けて板体を溝に装着して起立させて防水扉を閉じ、シール部を防水扉側と板体側と収納部側とにそれぞれ圧接させ、防水扉と収納部との間の水密を保持するよう構成したことを特徴とする防水扉の水密構造。
【請求項９】
防水扉と板体との間または収納部と板体との間とのうち少なくともいずれか一方にはそれぞれ、互いに密着可能なシール部を分割して設けたことを特徴とする請求項８に記載の防水扉の水密構造。
【請求項１０】
板材または板体を、水圧がかかる方向に対して防水扉の下流側または上流側のいずれか一方で起立するよう配置したことを特徴とする請求項１ないし９のうちいずれか１に記載の防水扉の水密構造。
【発明の詳細な説明】
【技術分野】
【０００１】
本発明は、大雨や洪水時に建物や地下構造物に水が浸入しないように出入り口を閉塞する防水扉の水密構造に関するものである。
【背景技術】
【０００２】
従来、建物や地下構造物に水が浸入しないように出入り口を閉塞する防水扉として、手動式の防水扉装置であって、防水扉を出入り口の床面に設けた収納部に概ね水平状態に収納し、この防水扉が回動し起立状態になることで当該出入り口を閉塞するよう構成するとともに、防水扉はアームの先端部で防水扉の裏面側を押し上げる復元力が付加された回動アームを複数本有するよう構成し、当該複数本の回動アームの復元力に差を設けるようにしたものが提案されている（例えば、特許文献１参照）。
【先行技術文献】
【特許文献】
【０００３】
【特許文献１】特開２０１１−１４０７８６号公報
【発明の概要】
【発明が解決しようとする課題】
【０００４】
しかしながら、上記従来の防水扉の構造では、防水扉を回動させて起立状態とすることで出入り口を閉塞するには、床面に防水扉の寸法に準じた広さの収納部を設けなければならず、施工上大掛かりな工事が必要となりコストがかかるだけでなく、空間に制約のある場所では設置しにくいという問題がある。
【０００５】
本発明は上記課題を解決するためになされたもので、簡素な構成で、施工空間の制約を受けにくい防水扉の水密構造を提供することを目的とする。
【課題を解決するための手段】
【０００６】
本発明の請求項１に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠側の間を結ぶ床を凹陥させ上部開口に蓋板を有する収納部を形成し、この収納部には、板材を起立自在に設け、起立時、各面の一部をそれぞれ防水扉と収納部内面に臨ませ、防水扉と収納部内面とのうち少なくともいずれか一方には、起立した板材と臨む部位に固定側シール部を設けるとともに、これら防水扉と収納部とのうちシール部が設けられていない防水扉または収納部に臨む板材には、臨む部位に変位側シール部を設け、防水扉の水密を確保する際、蓋を開けて板材を起立させて防水扉を閉じ、シール部を防水扉側と板材側と収納部側とにそれぞれ圧接させ、防水扉と収納部との間の水密を保持するよう構成したことを特徴とするものである。
【０００７】
本発明の請求項１に係る防水扉の水密構造では、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠側の間を結ぶ床を凹陥させ上部開口に蓋板を有する収納部を形成し、この収納部には、板材を起立自在に設け、起立時、各面の一部をそれぞれ防水扉と収納部内面に臨ませ、防水扉と収納部内面とのうち少なくともいずれか一方には、起立した板材と臨む部位に固定側シール部を設けるとともに、これら防水扉と収納部とのうちシール部が設けられていない防水扉または収納部に臨む板材には、臨む部位に変位側シール部を設け、防水扉の水密を確保する際、蓋を開けて板材を起立させて防水扉を閉じ、シール部を防水扉側と板材側と収納部側とにそれぞれ圧接させ、防水扉と収納部との間の水密を保持するよう構成したことにより、防水扉を閉じて水密を確保する際には、蓋板を開け板材を起立させて防水扉を閉じると、板材は防水扉側と収納部内面側にシール部を介して圧接され、防水扉と収納部との間の水密が保持される。
【０００８】
本発明の請求項２に係る防水扉の水密構造は、防水扉と板材との間または収納部と板材との間とのうち少なくともいずれか一方にはそれぞれ、互いに密着可能なシール部を分割して設けたことを特徴とするものである。
【０００９】
本発明の請求項３に係る防水扉の水密構造は、板材を収納部に揺動可能に設けるとともに、起立時、板材の上端が防水扉の下端より上方に位置するよう形成し、板材の揺動軸を板材の端部または起立した板材より前後方向にずらせて設けたことを特徴とするものである。
【００１０】
本発明の請求項４に係る防水扉の水密構造は、収納部を、左右側枠間または左右側枠間で閉じられる防水扉の下方より水圧方向上流側にずらせて形成したことを特徴とするものである。
【００１１】
本発明の請求項５に係る防水扉の水密構造は、収納部左右方向両端には、内外側壁を有し床に形成された側溝に接続されるとともに、内側壁の前後方向起立側が板材との干渉を避けて欠截された側溝受け部が形成され、側溝受け部には、上面に床の側溝と連通する溝部が形成され、側溝受け部を閉塞して側溝から収納部への漏水を阻止する側溝受けカバーを取り外し自在に設け、板材の左右両端を側溝受け部との干渉を避けて後退させて形成し、板材の起立時、板材の左右各端部と側枠との間に第１の差し入れ板を側溝受け部に当接させて着脱自在に装着して構成したことを特徴とするものである。
【００１２】
本発明の請求項６に係る防水扉の水密構造は、収納部を左右枠間に形成し、防水扉には、閉塞位置で扉を板材と各枠側に押圧してロックするロック装置を設けるとともに、収納部には、ロック装置の一部を設け、板材には、横倒し時、ロック装置の一部との干渉を避ける切り欠き部を形成し、板材には、起立時、この切り欠き部に着脱自在に嵌合される第２の差し入れ板を装着して構成したことを特徴とするものである。
【００１３】
本発明の請求項７に係る防水扉の水密構造は、板材を２重板構造の揺動板体により構成し、この揺動板体の前後の板の左右方向長さ寸法を異ならせ起立方向側の後板を長寸に、横倒し方向側の前板を短寸に形成し、第１の差し入れ板を揺動板体の両端部に合致させて形成し、切り欠き部を、前後の板の切り欠き面の大きさを異ならせ後板の切り欠き面より前板の切り欠き面を拡大させて形成し、第２の差し入れ板を切り欠き部に合致させて形成したことを特徴とするものである。
【００１４】
本発明の請求項８に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、左右方向に沿って防水扉に対応して形成された溝を形成するとともに、この溝に起立可能に装着される板体を備えて構成し、防水扉と収納部内面とのうち少なくともいずれか一方には、溝に装着されて起立した板材と臨む部位に固定側シール部を設けるとともに、これら防水扉と収納部とのうちシール部が設けられていない防水扉または収納部に臨む板体には、臨む部位に変位側シール部を設け、防水扉の水密を確保する際、蓋を開けて板体を溝に装着して起立させて防水扉を閉じ、シール部を防水扉側と板体側と収納部側とにそれぞれ圧接させ、防水扉と収納部との間の水密を保持するよう構成したことを特徴とするものである。
【００１５】
本発明の請求項８に係る防水扉の水密構造では、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、左右方向に沿って防水扉に対応して形成された溝を形成するとともに、この溝に起立可能に装着される板体を備えて構成し、防水扉と収納部内面とのうち少なくともいずれか一方には、溝に装着されて起立した板材と臨む部位に固定側シール部を設けるとともに、これら防水扉と収納部とのうちシール部が設けられていない防水扉または収納部に臨む板体には、臨む部位に変位側シール部を設け、防水扉の水密を確保する際、蓋を開けて板体を溝に装着して起立させて防水扉を閉じ、シール部を防水扉側と板体側と収納部側とにそれぞれ圧接させ、防水扉と収納部との間の水密を保持するよう構成したことにより、防水扉を閉じて水密を確保する際には、蓋板を開け板体を溝に装着して起立させ、防水扉を閉じると、板体は防水扉側と収納部内面側にシール部を介して圧接され、防水扉と収納部との間の水密が保持される。
【００１６】
本発明の請求項９に係る防水扉の水密構造は、防水扉と板体との間または収納部と板体との間とのうち少なくともいずれか一方にはそれぞれ、互いに密着可能なシール部を分割して設けたことを特徴とするものである。
【００１７】
本発明の請求項１０に係る防水扉の水密構造は、板材または板体を、水圧がかかる方向に対して防水扉の下流側または上流側のいずれか一方で起立するよう配置したことを特徴とするものである。
【発明の効果】
【００１８】
本発明の請求項１に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠側の間を結ぶ床を凹陥させ上部開口に蓋板を有する収納部を形成し、この収納部には、板材を起立自在に設け、起立時、各面の一部をそれぞれ防水扉と収納部内面に臨ませ、防水扉と収納部内面とのうち少なくともいずれか一方には、起立した板材と臨む部位に固定側シール部を設けるとともに、これら防水扉と収納部とのうちシール部が設けられていない防水扉または収納部に臨む板材には、臨む部位に変位側シール部を設け、防水扉の水密を確保する際、蓋を開けて板材を起立させて防水扉を閉じ、シール部を防水扉側と板材側と収納部側とにそれぞれ圧接させ、防水扉と収納部との間の水密を保持するよう構成したので、施工性を向上させて施工空間の制約を受けにくく、しかも閉塞作業を効率化するとともに、構成を簡素化してコストダウンを図る効果がある。
【００１９】
本発明の請求項８に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、左右方向に沿って防水扉に対応して形成された溝を形成するとともに、この溝に起立可能に装着される板体を備えて構成し、防水扉と収納部内面とのうち少なくともいずれか一方には、溝に装着されて起立した板材と臨む部位に固定側シール部を設けるとともに、これら防水扉と収納部とのうちシール部が設けられていない防水扉または収納部に臨む板体には、臨む部位に変位側シール部を設け、防水扉の水密を確保する際、蓋を開けて板体を溝に装着して起立させて防水扉を閉じ、シール部を防水扉側と板体側と収納部側とにそれぞれ圧接させ、防水扉と収納部との間の水密を保持するよう構成したので、閉塞作業を効率化するとともに、構成を簡素化してコストダウンを図る効果がある。
【図面の簡単な説明】
【００２０】
【図１】図１は本発明の第１の実施形態に係る防水扉の水密構造を示す一部破断平面図で、防水扉が開いた状態を示す図である。
【図２】図２は図１の防水扉が閉じた状態を示す平面図である。
【図３】図３は図１の防水扉が閉じた状態を示す一部破断正面図である。
【図４】図４は図３のＩＶ−ＩＶ線断面図である。
【図５】図５の（Ａ）ないし（Ｄ）はそれぞれ、防水扉の水密構造の要部の斜視図を示す説明図である。
【図６】図６の（Ａ）ないし（Ｃ）はそれぞれ、戸当たり板が収納部に収納された状態を示す収納部の要部平面図、戸当たり板が起立した状態を示す収納部の要部平面図および戸当たり板が起立した状態を示す収納部の一部破断正面図である。
【図７】図７は図１の防水扉の戸当たり板を示す断面図である。
【図８】図８の（Ａ）、（Ｂ）はそれぞれ、第１の実施形態の変形例を示す説明図である。
【図９】図９は本発明の第２の実施形態に係る防水扉の水密構造の要部を示す断面図である。
【図１０】図１０は本発明の第３の実施形態に係る防水扉の水密構造の要部を示す断面図である。
【図１１】図１１は本発明の第３の実施形態の第１の変形例に係る防水扉の水密構造の要部を示す断面図である。
【図１２】図１２は本発明の第３の実施形態の第２の変形例に係る防水扉の水密構造の要部を示す断面図である。
【図１３】図１３の（Ａ）、（Ｂ）はそれぞれ、本発明の第４の実施形態に係る防水扉の水密構造の要部を示す断面図および説明図である。
【発明を実施するための形態】
【００２１】
以下、図面に示す実施形態により本発明を説明する。本発明の第１の実施形態に係る防水扉の水密構造２は、図１ないし図７に示すように、地下構造物の通路（または施設）の床Ｆの出入り口４に設けられる。この出入り口４には、左右両側枠５Ａ、５Ｂと上枠５Ｃ（図３参照）とがそれぞれコンクリートの壁面と天井とにそれぞれ設けられ、一方の側枠５Ａには、防水扉６の一側が二軸蝶番７（図１参照）により開閉可能に連結されて支持される。一方の側枠５Ａは横断面Ｌ字状に形成され、内側面のうち防水扉６と向き合う面のうち少なくともいずれか一方には、弾性を有するシール部材（図示せず）が貼着される。他方の側枠５Ｂと上枠５Ｃとにも、防水扉６と向き合う部位にシール部材（図示せず）が貼着される。防水扉６は、閉じられて枠５Ａ〜５Ｃに当接すると、枠５Ａ〜５Ｃと当接する部位は図示しないシール部材に密着される一方、下端面と床Ｆとの間には、細隙が確保されるようになっている。
【００２２】
ところで、本実施形態に係る防水扉の水密構造２では、図３、図４に示すように、左右両側枠５Ａ、５Ｂ間を結ぶ床を凹陥させ、この凹陥部に金属製の筐体を嵌め込み固定して収納部１０が形成される。この収納部１０の上部開口には、蓋板１１がラバーヒンジ１１Ａを介して開閉可能に取り付けられる。蓋板１１は床面と同一のレベルを確保するようになっている。このため、防水扉６を閉じた際、防水扉６の下端面と蓋板１１との間には、細隙が形成される。また、蓋板１１の前後方向後方側一端下面には、ラバーヒンジ１１Ａが、前後方向前方側端部下面と左右方向両端部下面とには、防水ゴム１１Ｂがそれぞれ設けられる。蓋板１１と収納部１０とには、ロック機構８が設けられる。ロック機構８は、収納部１０に形成されたスリット８Ａと蓋板１１に設けられスリット８Ａに掛合して蓋板１１を収納部１０にロックさせる掛合部８Ｂとを備えて構成される。蓋板１１は、ロック機構８により収納部１０にロックされると、収納部１０の開口部に密着され、収納部１０への水の浸入を阻止するようになっている。
【００２３】
収納部１０の左右方向両端には、通路（床）Ｆの両端に形成された出入り口４の前後側両側溝１２、１２を接続する側溝受け部１３（図２、図３、図５、図６参照）が設けられる。側溝受け部１３は底面が収納部１０の底面と同一面に形成され、側溝１２より深い位置に底面が形成される。側溝受け部１３は、収納部１０の前後方向長さと同一寸法で底面から垂直に立ち上がる外側壁１４と、後述する起立した戸当たり板（板材）２０との干渉を避けて起立側端部（収納部１０の起立側、以後、収納部１０の前後方向後方側という）を欠截しこの外側壁１４より前後方向寸法が短寸で底面から立ち上がる内側壁１５とを備えて構成される。各壁１４、１５には内側にストッパ１６が設けられ、後述する戸当たり板２０が起立した際、戸当たり板２０の前側面（後述する差し入れ板２４Ａ、２４Ｂの前側面）２６に当接するようになっている。
【００２４】
側溝受け部１３には、側溝受けカバー１７が取り外し自在に設けられる（図５（Ｂ）参照）。側溝受けカバー１７は、上面に床Ｆの側溝１２と連通しほぼ同じ深さを有する溝部１８が形成される。側溝受けカバー１７は、側溝受け部１３に取り付けられると、側溝受け部１３を閉塞して側溝１２から収納部１０への漏水を阻止するようになっている。溝部１８は、側溝１２の底面とほぼ同一レベルの底面１８Ａとこの底面１８Ａから前後に延長され側溝１２の底面に載置される延長部１８Ｂ、１８Ｃとを有している。側溝受けカバー１７は、防水扉６の開放時に側溝受け部１３に取り付けられ、防水扉６の閉塞時には、側溝受け部１３から取り外されるようになっている。なお、符号１９は土手部で、溝部１８の左右方向幅を決定している。
【００２５】
収納部１０には、収納部１０の底部から突出する突出部２１にピン２２を介して戸当たり板（板材）２０が揺動可能に取り付けられる。戸当たり板２０は、二重板構造の揺動板体２３と、この揺動板体２３に取り外し自在に差し入れられる差し入れ板２４Ａ、２４Ｂ、２５Ａ、２５Ｂとを備えて構成される。揺動板体２３の左右方向の長さ寸法Ｌ１は、収納部１０の左右端に設けられた側溝受け部１３の内側壁１５、１５間の距離Ｌ２より短寸となっている（Ｌ１＜Ｌ２）。すなわち、揺動板体２３は、両端２３Ａ、２３Ｂが側溝受け部１３、１３との干渉を避けて後退して形成されるようになっている。揺動板体２３は、前後の板２３Ｃ、２３Ｄの左右方向長さ寸法を異ならせ、立ち上がり方向側の後板２３Ｃを長寸に、横倒し方向側の前板２３Ｄを短寸に形成して構成される。揺動板体２３は、起立させられて揺動端２０Ａが上方位置にあると、前後方向前方側の面が閉じられた防水扉６の下部に臨んで向き合うとともに、前後方向後方側の面が収納部１０の後方側壁面に臨んで向き合うようなっている。また、揺動板体２３は、防水扉６が開いた状態で揺動して横倒しされると、収納部１０内に収納されるようになっている。
【００２６】
差し入れ板２４Ａ、２４Ｂ、２５Ａ、２５Ｂのうち、側溝受け部１３側の差し入れ板（第１の差し入れ板）２４Ａ、２４Ｂはそれぞれ、揺動板体２３の起立時、揺動板体２３の両端部２３Ａ、２３Ｂと側溝受け部１３、１３の外側壁１４、１４との間に差し入れられる。これら差し入れ板２４Ａ、２４Ｂは、揺動板体２３と側溝受け部１３、１３との間に差し入れられると、後方側の面が揺動板体２３の後板２３Ｃに、前方側の面がストッパ１６にそれぞれ当接して保持されるようになっている。差し入れ板２４Ａ、２４Ｂが揺動板体２３に差し入れられると、差し入れ板２４Ａ、２４Ｂの前後側の各面は揺動板体２３の前後側の各面と同一の面をなすようになっている。
【００２７】
防水扉６には、図１に示すようにグレモン錠（Extension bolt lock、ロック装置）４０が設けられる。グレモン錠４０は、図３および図４に示すように、防水扉６の内部にそれぞれ上下動可能に設けられ、上端が防水扉６の上面から突出して上枠５Ｃの孔に当接して押入可能な上側ロッド４１Ａ、４１Ｂと、下端が防水扉６の下面から突出して収納部１０に設けられた受け部４４の受け入れ口４４Ａ（図５（Ｂ）、（Ｄ）、図６（Ａ）参照）に当接して押入可能な下側ロッド４２Ａ、４２Ｂと、防水扉６の内部に水平動可能に設けられ、外端が防水扉６の左側面から突出して側枠５Ａの孔に当接して押入可能な左側ロッド４３Ａと、外端が防水扉６の右側面から突出して側枠５Ｂの孔に当接して押入可能な右側ロッド４３Ｂとを備えている。グレモン錠４０は、これら各ロッド４１Ａ、４１Ｂ、４２Ａ、４２Ｂ、４３Ａ、４３Ｂの突出端を防水扉６の外側の突出位置と防水扉６内部の後退位置に進退動させる操作部４５、４６を備えて構成される。収納部１０には、下側ロッド４２Ａ、４２Ｂの突出端を受け入れる受け部４４が二カ所に設けられる。
【００２８】
グレモン錠４０の各ロッド４１Ａ〜４３Ｂの突出端はいずれもテーパ状に形成され、操作部４５、４６の操作により各ロッド４１Ａ〜４３Ｂの突出端が側枠５Ａ、５Ｂ、上枠５Ｃおよび受け部４４の受け入れ口４４Ａに当接して押入されると、防水扉６を側枠５Ａ、５Ｂ、上枠５Ｃおよび戸当たり板２０の側に押圧するようになっている。
【００２９】
揺動板体２３は、受け部４４に臨む部位に、横倒し時、受け部４４との干渉を避ける切り欠き部４７が形成される（図５の（Ｂ）、（Ｃ）および図６の（Ａ）参照）。切り欠き部４７は、揺動板体２３の上側に前後の板２３Ｃ、２３Ｄの切り欠き面の大きさを異ならせて形成され、後板２３Ｃの切り欠き面４７Ａより前板２３Ｄの切り欠き面４７Ｂは拡大されて形成される。揺動板体２３の起立時、揺動板体２３の切り欠き部４７には、差し入れ板（第２の差し入れ板）２５Ａ、２５Ｂが差し入れられるようになっている。これら差し入れ板２５Ａ、２５Ｂはそれぞれ、揺動板体２３の切り欠き部４７に差し入れられると、後方側の面が揺動板体２３の後板２３Ｃの面と同一面をなすようになっている。
【００３０】
防水扉６には、出入り口前後方向の後方側面６Ｂの下部に、図７に示すように、戸当たり板２０が起立した際、起立した戸当たり板２０と臨む部位に第１のシール部（固定側シール部）２７が幅方向に沿って突出して設けられる。第１のシール部２７は、防水扉６の後方側面６Ｂに貼着されたゴムや合成樹脂等の弾性を有する密着部材２７Ａとこの密着部材２７Ａを防水扉６に固定する固定部材２７Ｂとから構成される。この第１のシール部２７の両端は、防水扉６の閉塞時、両側枠５Ａ、５Ｂに設けられた図示しないシール部の下端部と接続されるようになっている。つまり、第１のシール部２７は、揺動板体２３が起立させられて、差し入れ板２４Ａ、２４Ｂ、２５Ａ、２５Ｂが差し入れられ、防水扉６が閉じられると、戸当たり板２０の横倒し方向側の面（出入り口前後方向の前方側の面）２６の上部に密着するようになっている。
【００３１】
収納部１０には、後方側壁面１０Ａに第２のシール部（固定側シール部）２９が左右方向に沿って突出して設けられる。第２のシール部２９は、収納部１０の後方壁面１０Ａに貼着されたゴムや合成樹脂等の弾性を有する密着部材２９Ａとこの密着部材２９Ａを後方側壁面１０Ａに固定する固定部材２９Ｂとから構成される。この第２のシール部２９の両端は、収納部１０の左右両側壁１０Ｃ、１０Ｄ（図３参照）に達するようになっている。そして、第２のシール部２９は、揺動板体２３が起立させられて、差し入れ板２４Ａ、２４Ｂ、２５Ａ、２５Ｂが差し入れられ、防水扉６が閉じられると、戸当たり板２０の起立方向側の面（出入り口前後方向の後方側の面）２８に密着するようになっている。このため、防水扉６が出入り口４を閉塞し、グレモン錠４０により防水扉６がロックされると、第１第２のシール部２７、２９が起立した戸当たり板２０の前後各面２６、２８に圧接されるようになっている。従って、この状態で、前方側からの水圧がかかっても、防水扉６と収納部１０との間の水密を確保することができるようになっている。
【００３２】
次に、上記第１の実施形態に係る防水扉の水密構造２の作用について説明する。上記第１の実施形態に係る防水扉の水密構造２は、まず、防水扉６が開放されると、収納部１０の側溝受け部１３に側溝受けカバー１７を載置して、床Ｆの側溝１２と溝部１８との連通を確保するとともに、側溝１２から収納部１０内への漏水を阻止する。次に、揺動板体２３を横倒しして、収納部１０に納めるとともに、差し入れ板２４Ａ、２４Ｂ、２５Ａ、２５Ｂを収納部１０内に納める。なお、これら差し入れ板２４Ａ、２４Ｂ、２５Ａ、２５Ｂは別の場所で保管するようにしてもよい。そして、蓋板１１を収納部１０の開口に取り付け、床Ｆと同一のレベルの出入り口４の通路を確保する（図５の（Ａ）参照）。このとき、防水扉６下端と床Ｆおよび蓋板１１との間には細隙が確保されているので、防水扉６は、出入り口４の枠５Ａ、５Ｂ、５Ｃに対して開閉自在となっている。
【００３３】
次に、防水扉６を閉じて、防水扉６の水密を確保する際には、まず、蓋板１１を開く（図５の（Ｂ）および図７参照）。そして、揺動板体２３を揺動させて起立させ、側溝受けカバー１７、１７を取り外す（図５の（Ｃ）参照）、揺動板体２３の両端部２３Ａ、２３Ｂに第１の差し入れ板２４Ａ、２４Ｂを、両切り欠き部４７、４７に第２の差し入れ板２５Ａ、２５Ｂをそれぞれ差し入れる。こうして戸当たり板２０が構成される。
【００３４】
この状態で、防水扉６を閉じてグレモン錠４０を操作してロックすると、防水扉６は上枠５Ａと両側枠５Ｂ、５Ｃ側に押しつけられ、上枠５Ａと両側枠５Ｂ、５Ｃ側の図示しないシール部材に圧接されるとともに、防水扉６の下部に設けられた第１のシール部２７が、起立した戸当たり板２０の前方側面２６の上部に圧接される。そして、防水扉６から第１のシール部２７を介して押圧力を受けた戸当たり板２０は、後方側面２８が収納部１０の後方側壁面１０Ａに設けられた第２のシール部２９に圧接される。
【００３５】
このように、防水扉６は後方側面６Ｂが枠５Ａ〜５Ｃと戸当たり板２０との圧接により全周がシールされるとともに、防水扉６と収納部１０との間も第１第２のシール部２７、２９によりシールされる。こうして、防水扉６は出入り口４を閉塞してロックされているので、防水扉６の出入り口４の前方側から水が流入し水圧がかかっても、水密が確保されるようになっている。このように、本実施形態に係る防水扉の水密構造２では、揺動板体２３を起立させて揺動板体２３に差し入れ板２４Ａ、２４Ｂ、２５Ａ、２５Ｂを差し入れ、防水扉６を閉じてロックするだけで水密を確保することができ、閉塞作業を効率化することができる。また、構造を簡素化できるので、コストダウンを図ることができる。さらに、側枠５Ｂ、５Ｃ間に収納部１０を形成することにより施工空間の制約を受けにくく、施工性を向上させることができる。
【００３６】
なお、本実施形態では、第２のシール部２９を収納部１０の後方側壁面１０Ａに設けているがこれに限られるものではなく、後方側壁面１０Ａと収納部１０の底面１０Ｅとの間、または、収納部１０の底面１０Ｅに設け、戸当たり板２０の一部に圧接させるようにしてもよい。また、本実施形態では、戸当たり板２０を、水圧がかかる方向（図７の右側参照）に対して防水扉６の下流側に配置して起立させるようにしているがこれに限られるものではなく、水圧のかかる方向が逆（図７の左方参照）であってもよい。すなわち、戸当たり板２０が水圧がかかる方向に対して防水扉６の上流に配置しても同様の効果を奏する。
【００３７】
さらに、図８（Ａ）、（Ｂ）はそれぞれ、上記第１の実施形態の第１第２の変形例を示すもので、図８の（Ａ）に示す第１の変形例に係る防水扉の水密構造では、戸当たり板５０の端部に揺動軸５２を設けた点と戸当たり板５０に第１のシール部５７を設け、防水扉６のロック時、防水扉６の後方側面６Ｂが、起立した戸当たり板５０の第１のシール部５７に圧接されるようにした点が異なっている。また、図８の（Ｂ）に示す第２の変形例に係る防水扉の水密構造では、戸当たり板戸６０の端部に揺動軸６２を設けた点と戸当たり板６０に第２のシール部６９を設け、防水扉６のロック時、起立した戸当たり板６０の第２のシール部６９が、収納部１０の後方側面１０Ａに圧接されるようにした点が異なっている。すなわち、第１の実施形態に係る防水扉の水密構造では、第１第２のシール部２７、２９を防水扉６と収納部１０とにそれぞれ設けているのに対し、図８（Ａ）、（Ｂ）に示す第１第２の変形例では、戸当たり板５０、６０に第１第２のシール部のいずれか一方を設けるようにした点が異なっている。
【００３８】
次に、本発明の第２の実施形態に係る防水扉の水密構造について説明する。図９は本発明の第２の実施形態に係る防水扉の水密構造の要部を示す断面図である。第２の実施形態に係る防水扉の水密構造１０２は、上記第１の実施形態に係る防水扉の水密構造２が、第１のシール部２７を防水扉６の後方側面６Ｂの下部に設けるようにしているのに対し、第１のシール部１２７を、防水扉６の後方側面６Ｂの下部に設けた防水扉側シール部１２７Ａと、戸当たり板１２０起立時、この防水扉側シール部１２７Ａに向き合うように戸当たり板１２０の前方側面１２６に設けられた戸当たり板側シール部１２７Ｂとに分割して構成した点が異なる外は、上記第１の実施形態とほぼ同一の構成を有している。第２の実施形態に係る防水扉の水密構造１０２では、第１のシール部１２７を分割して形成するようにしているので、防水扉６側の防水扉側シール部１２７Ａの厚さを薄くすることができ、防水扉６開放時の収納空間のコンパクト化を図ることができる。なお、第２の実施形態では、第１のシール部１２７を分割して構成しているがこれに限られるものではなく、収納部１０の後方側面１０Ａに設けられた第２のシール部２９を収納部１０側と戸当たり板１２０側とに分割して構成するようにしてもよいし、第１第２のシール部１２７、２９を両方とも分割して構成するようにしてもよい。
【００３９】
図１０は本発明の第３の実施形態に係る防水扉の水密構造２０２を示すもので、上記第１第２の実施形態に係る防水扉の水密構造２、１０２が、収納部１０を左右両側枠５Ａ、５Ｂ間の床Ｆに形成するようにしているのに対し、収納部２１０を閉塞時の防水扉２０６の下方より水圧側（上流側、図１０の右側）にずらして形成した点が異なっている。つまり、上記第１第２の実施形態に係る防水扉の水密構造２、１０２では、グレモン錠４０の下側ロッド４２Ａ、４２Ｂが、収納部１０に設けられた受け部４４に挿入されて受け入れ口４４Ａに当接されるのに対し、本実施形態の防水扉２０６のグレモン錠２４０では、下側ロッド２４２Ａ、２４２Ｂが挿入される受け部２４４が、収納部２１０の後方側（水圧方向下流側）の床Ｆに設けられるようになっている。このため、戸当たり板２２０は、横倒し時、グレモン錠２４０の受け部２４４が収納部２１０の外部の設けられているため干渉することがなく、上端に切り欠きを形成する必要がない。
【００４０】
本実施形態では、起立時の戸当たり板２２０の前方側（水圧方向上流側）にピン２２２を配置し、戸当たり板２２０を収納部２１０内で起立自在に揺動させるようにしている。戸当たり板２２０には、起立方向側の後側面２２８の揺動端部側に第１のシール部２２７を設け、起立時、この第１のシール部２２７が防水扉２０６の前方側面２０６Ａに接触するようになっている。収納部２１０の後方側壁面２１０Ａには、第２のシール部２２９が設けられ、戸当たり板２２０の起立時、戸当たり板２２０の後方側面２２８が第２のシール部２２９に接触するようになっている。
【００４１】
本実施形態に係る防水扉の水密構造２０２では、上述のように構成されているので、戸当たり板２２０を起立させて防水扉２０６を閉じてロックすると、戸当たり板２２０の第１のシール部２２７が防水扉２０６の前方側面２０６Ａに接触し、戸当たり板２２０の後方側面２２８が第２のシール部２２９に接触する。この状態で水圧がかかると戸当たり板２２０は防水扉２０６側に押圧されて保持される。こうして、防水扉２０６と収納部２１０との間の水密が確保される。
【００４２】
なお、本実施形態では、第１第２のシール部２２７、２２９により収納部２１０と防水扉２０６との間の水密を確保するようにしているがこれに限られるものではなく、戸当たり板２２０の起立方向側の後側面２２８に防水扉２０６と収納部２１０の内面との両方に同時に接触するシール部を設けるようにしてもよい。また、この後側面２２８に防水扉２０６と床Ｆとに接触し、両者をシールするシール部を設けるようにしてもよい。さらに、戸当たり板２２０収納部２１０との間にばね等の付勢部材を設け、収納部２１０の蓋を開けると、ばねにより戸当たり板２２０が付勢されて自動的に起立するようにしてもよい。また、本実施形態では、第１シール部２２７を戸当たり板２２０に、第２のシール部２２９を収納部２１０にそれぞれ設けているがこれに限られるものではなく、第１第２のシール部を両方とも戸当たり板２２０に設けるようにしてもよい。
【００４３】
図１１および図１２はそれぞれ、上記第３の実施形態に係る防水扉の水密構造２０２の第１第２の変形例を示すもので、図１１に示す第１の変形例は上記第３の実施形態に係る水密構造２０２が、戸当たり板２２０に第１のシール部２２７を設け、収納部２１０に第２のシール部２２９を設けるようにしているのに対し、第１のシール部３２７を防水扉３０６に、第２のシール部３２９を収納部２１０にそれぞれ設けた点が異なっている。この第１の変形例に係る防水扉の水密構造３０２では、戸当たり板３２０の起立時、戸当たり板３２０の起立方向側の後側面３２８がこれら第１第２のシール部３２７、３２９に接触するようになっている。
【００４４】
第３の実施形態の第２の変形例に係る防水扉の水密構造４０２は、図１２に示すように、上記第３の実施形態に係る防水扉の水密構造２０２が、戸当たり板２２０に第１のシール部２２７を設けているのに対し、第１のシール部４２７を、防水扉４０６の前方側面６０６Ａの下部に設けた防水扉側シール部４２７Ａと、戸当たり板４２０起立時、この防水扉側シール部４２７Ａに向き合うように戸当たり板４２０の後方側面４２６に設けられた戸当たり板側シール部４２７Ｂとに分割して構成した点が異なっている。なお、第２の変形例に係る防水扉の水密構造４０２では、第１第２のシール部４２７、２２９のうち、一方のシール部（第１のシール部）４２７のみを分割して構成しているがこれに限られるものではなく、収納部２１０側に設けられた第２のシール部２２９を分割して構成するようにしてもよいし、第１第２のシール部４２７、２２９の両方を分割して構成するようにしてもよい。
【００４５】
上記第３の実施形態およびその第１第２の変形例に係る防水扉の水密構造２０２、３０２、４０２では、収納部２１０を閉塞時の防水扉２０６、３０６、４０６の下方より水圧側（上流側）にずらして形成し、水圧により戸当たり板２２０、３２０、４２０を防水扉側に押圧して水密を確保するようにしているがこれに限られるものではなく、収納部を閉塞時の防水扉の下方より水圧側（上流側）の反対側に、すなわち、水圧方向の下流側にずらして形成し、戸当たり板を起立位置でロックするロック部材または支持する支持部材を設けるようにしてもよい。このように床Ｆを凹陥して形成される収納部を側枠５Ａ、５Ｂ間に形成するだけでなく、出入り口４の前後側（水圧方向の上下流側）いずれか一方に形成しても防水扉の水密を確保することができるので、出入り口４の前後側に階段等が控えているなど、例え施工空間に制約があっても、対応することができる。
【００４６】
次に、本発明の第４の実施形態に係る防水扉の水密構造５０２について説明する。第４の実施形態に係る防水扉の水密構造５０２は、図１３の（Ａ）、（Ｂ）に示すように、上記第１ないし第３の実施形態に係る防水扉の水密構造２、１０２、３０２、４０２が、戸当たり板２０、１２０、２２０、３２０、４２０を収納部１０、２１０内に揺動可能に配置しているのに対し、両側枠５Ａ、５Ｂ間に形成された収納部５１０に溝５１１を形成し、差し込み板（板体）５２０をこの溝５１１に脱着可能な一枚板から構成した点が異なっている。
【００４７】
すなわち、本実施形態に係る防水扉の水密構造５０２は、出入り口の左右両側枠（図示せず）間を結ぶ床Ｆ４を凹陥させ上部開口に蓋板（図示せず）が開閉可能に取り付けられる収納部５１０を形成し、この収納部５１０には、底部の後方側（図１３の（Ａ）左側）に左右方向に沿って防水扉５０６の後方側面５０６Ｂより後方側に溝５１１を形成している。そして、水密手段を、この溝５１１に出し入れ可能な差し込み板５２０と、防水扉５０６の後方側面５０６Ｂ下部に幅方向に沿って突出して設けられた第１のシール部５２７と、収納部５１０の後方側壁面５１０Ａに左右方向に沿って突出して設けられた第２のシール部５２９とを備えて構成している。本実施形態に係る防水扉の水密構造５０２では、収納部５１０の溝５１１に差し込み板５２０を差し込んで起立させると、第２のシール部５２９に差し込み板５２０の後方側面５２８が密着して圧接されるようになっている。そして、防水扉５０６を閉じてロックすると、第１のシール部５２７が差し込み板５２０の前方側面５２６に密着して圧接されるようになっている。このように、防水扉６０６は後方側の面５０６Ｂが図示しない上枠および両側枠と差し込み板５２０により全周がシールされるとともに、防水扉５０６と収納部５１０との間も差し込み板５２０を介して第２のシール部５２９によりシールされる。このため、防水扉５０６の出入り口の前方側から水が流入し水圧がかかっても、水密が確保されるようになっている。このように、本実施形態に係る防水扉の水密構造５０２では差し込み板５２０を溝５１１に差し込み、防水扉５０６を閉じてロックするだけで水密を確保することができ、閉塞作業を効率化することができる。また、構造を簡素化できるので、コストダウンを図ることができる。さらに、側枠間に収納部５１０を形成することにより施工空間の制約を受けにくく、施工性を向上させることができる。
【００４８】
なお、本実施形態に係る防水扉の水密構造５０２では、第１第２のシール部５２７、５２９を防水扉５０６と収納部５１０にそれぞれ設けるようにしているがこれに限られるものではなく、防水扉５０６または収納部５１０のいずれかに設け、他方のシール部を差し込み板５２０に設けるようにしてもよい。また、第１第２のシール部５２７、５２９を防水扉５０６と差し込み板５２０とで、または、収納部５１０と差し込む板５２０とでそれぞれ分割して設けるようにしてもよい。
【符号の説明】
【００４９】
２  防水扉の水密構造
４  出入り口
５Ａ、５Ｂ  左右側枠
５Ｃ  上枠
６  防水扉
１０  収納部
１１  蓋板
２０  戸当たり板（板材）
２７  第１のシール部（固定側シール部）
２９  第２のシール部（固定側シール部）
Ｆ  床
【図１】
2016151165.tif 000003
【図２】
2016151165.tif 000004
【図３】
2016151165.tif 000005
【図４】
2016151165.tif 000006
【図５】
2016151165.tif 000007
【図６】
2016151165.tif 000008
【図７】
2016151165.tif 000009
【図８】
2016151165.tif 000010
【図９】
2016151165.tif 000011
【図１０】
2016151165.tif 000012
【図１１】
2016151165.tif 000013
【図１２】
2016151165.tif 000014
【図１３】
2016151165.tif 000015